(57)【特許請求の範囲】
【請求項１】
コントロールパネルの前面に操作ノブを配置し、該コントロールパネルの裏面に前記操作ノブによりスイッチング操作されるスイッチ構成部を配設したスイッチ筐体を配置してなる複数のスイッチに対して、前記コントロールパネルの裏面に照射される照明光を、前記各操作ノブの前面に導いて視認できるようにしたスイッチの照明機構であって、
前記コントロールパネルの裏面に配置した照明ランプを取り囲む半球形状部と、該半球形状部から直線状のライトガイド部を突成してなるライトガイドを配置し、前記半球形状部の一部を切り欠くことにより、前記複数のスイッチの中の何れか一個に対して、照明ランプ光をスイッチ筐体に形成した導入口から直接該スイッチ筺体内に導入し、該導入口に配設した反射面により反射させて、該スイッチの操作ノブの裏面を照射する照明光を、該操作ノブの前面に導いて視認できるようにするとともに、前記直接照明ランプ光を導入するスイッチ以外の複数のスイッチに対して、前記直線状のライトガイド部により導かれる前記照明ランプ光を、各スイッチ筐体に形成した各導入口から該各スイッチ筐体内に導入し、各導入口に配設した反射面により反射させて、各操作ノブの裏面を照射する照明光を、該各操作ノブの前面に導いて視認できるようにしたことを特徴とするスイッチの照明機構。
【発明の詳細な説明】
【技術分野】
【０００１】
本発明は、操作ノブの裏面に照射される照明光を、該操作ノブの前面に導いて視認できるようにしたスイッチの照明機構に関するものである。
【背景技術】
【０００２】
従来は、操作ノブの前面に照明光を導いて視認できるようにするため、スイッチ筐体内に照明ランプを配設していた。
【０００３】
しかしながら、複数のスイッチを配置して、各スイッチの操作ノブの前面に照明光を導くためには、個々に照明ランプが必要となりコスト高となる。
【特許文献１】なし
【発明の開示】
【発明が解決しようとする課題】
【０００４】
本発明は、上記した問題点を解決するためになされたもので、照明ランプ光を複数のスイッチに導いて共用するとともに、各操作ノブの裏面に照射して該操作ノブの前面で視認できるスイッチの照明機構を提供することを目的とする。
【課題を解決するための手段】
【０００５】
上記目的を達成するための請求項１に記載のスイッチの照明機構は、コントロールパネルの前面に操作ノブを配置し、該コントロールパネルの裏面に前記操作ノブによりスイッチング操作されるスイッチ構成部を配設したスイッチ筐体を配置してなる複数のスイッチに対して、前記コントロールパネルの裏面に照射される照明光を、前記各操作ノブの前面に導いて視認できるようにしたスイッチの照明機構であって、前記コントロールパネルの裏面に配置した照明ランプを取り囲む半球形状部と、該半球形状部から直線状のライトガイド部を突成してなるライトガイドを配置し、前記半球形状部の一部を切り欠くことにより、前記複数のスイッチの中の何れか一個に対して、照明ランプ光をスイッチ筐体に形成した導入口から直接該スイッチ筺体内に導入し、該導入口に配設した反射面により反射させて、該スイッチの操作ノブの裏面を照射する照明光を、該操作ノブの前面に導いて視認できるようにするとともに、前記直接照明ランプ光を導入するスイッチ以外の複数のスイッチに対して、前記直線状のライトガイド部により導かれる前記照明ランプ光を、各スイッチ筐体に形成した各導入口から該各スイッチ筐体内に導入し、各導入口に配設した反射面により反射させて、各操作ノブの裏面を照射する照明光を、該各操作ノブの前面に導いて視認できるようにしたことを特徴とする。
【発明の効果】
【０００６】
請求項１に記載のスイッチの照明機構によれば、照明ランプを取り囲む半球形状部と、該半球形状部から直線状のライトガイド部を突成してなるライトガイドを配置し、半球形状部の一部を切り欠いて照明ランプ光を複数のスイッチの中の何れか一個に対して、スイッチに形成した導入口から直接スイッチ筺体内に導入し、該導入口に配設した反射面により反射させて、該スイッチの操作ノブの裏面を照射する照明光を、該操作ノブの前面に導いて視認できる。そして、直接照明ランプ光を導入するスイッチ以外の複数のスイッチに対して、直線状のライトガイド部により導かれる照明ランプ光を、各スイッチ筐体に形成した各導入口から該各スイッチ筐体内に導入し、該各導入口に配設した反射面により反射させて、各操作ノブの裏面を照射する照明光を、該各操作ノブの前面に導いて視認できるもので、半球形状部と該半球形状部から突成した直線状のライトガイド部を用いて、一個の照明ランプ光を複数のスイッチにおいて共用することができる。
【発明を実施するための最良の形態】
【０００７】
一個の照明ランプ光を複数のスイッチに導いて照明ランプ光を共用するとともに、各操作ノブの裏面を照射する照明ランプ光を該操作ノブの前面で視認できるようにするスイッチの照明機構を提供するという目的を、複数のスイッチの中の何れか一個に対して、照明ランプを取り囲む半球形状部の一部を切り欠いて直接スイッチに導くとともに、直接照明ランプ光を導入するスイッチ以外の複数のスイッチに対して、該半球形状部から直線状のライトガイド部を突成したライトガイドを配置して、照明ランプ光を該複数のスイッチに導く構成とすることで実現した。
【実施例】
【０００８】
本発明のスイッチの照明機構を適用したスイッチ装置の実施形態を添付図面を参照して説明する。図１はスイッチ装置１の正面図、図２は図１に於けるＡ−Ａ線断面図である。スイッチ装置１のコントロールパネル２には、ハザードスイッチ３及びデフロスタスイッチ４及びエアコンスイッチ５が組み込まれている。また、吹出しモード切替用のロータリノブ６、ブロアスイッチのロータリノブ７及び温度調節用のロータリノブ８が横一列に設けられている。そして、各ロータリノブ６、７及び８の外周部に、円弧状のライトガイド９、１０、１１が配設され、コントロールパネル２の表面に現れている。
【０００９】
上記スイッチの照明機構は、円弧状のライトガイド９、１０、１１、照明ランプ１２を取り囲む半球形状部１３、該半球形状部１３から放射状に突成した直線状のライトガイド部１４等から構成されている。各円弧状のライトガイド９、１０、１１は、コントロールパネル２の裏面に於いて、照明ランプ１２を取り囲む半球形状部１３から放射状に突成した直線状のライトガイド部１４と連結されている。半球形状部１３は、吹出しモード切替用のロータリノブ６とブロアスイッチのロータリノブ７の間及びブロアスイッチのロータリノブ７と温度調節用のロータリノブ８の間に配置されている。ハザードスイッチ３の下面に位置する半球形状部１３は、上部に導光壁１３ａを設けた開口１３ｂが形成されている。また、デフロスタスイッチ４の下面には、該半球形状部１３から放射状に突成した直線状のライトガイド部１４の端部１４ａが対応している。
【００１０】
ハザードスイッチ３及びデフロスタスイッチ４は、共に同一の構造の押圧スイッチである。従って、ハザードスイッチ３についてその構造を説明する。スイッチ筺体３１内には、押圧操作ノブ３２の押圧操作によりスイッチングされるスイッチ構成部３３が配設されている。押圧操作ノブ３２は、筒状部３４をスイッチ筺体３１に挿入するとともに、スイッチ構成部３３の外周に嵌挿されて摺動可能となっている。また、押圧操作ノブ３２の前面の押圧操作面３２ａには、有色透光性のマーク表示３５が形成されている。
【００１１】
さらに、スイッチ筺体３１の下面には、ライトガイドの半球形状部１３の開口１３ｂに対応する照明ランプ光の導入口３６が形成されている。該導入口３６に対応して押圧操作ノブ３２の筒状部３４にも、開口３４ａが形成されている。そして、導入口３５及び開口３４ａから導入された照明ランプ光を反射させて、押圧操作ノブ３２のマーク表示３５を照明する反射面３７が、図２に示すように該導入口３５及び開口３４ａに対応させてスイッチ構成部３３に配設されている。
【００１２】
上記スイッチの照明機構を適用したスイッチ装置１は、照明ランプ１２が点灯すると半球形状部１３及び直線状のライトガイド部１４により照明ランプ光がカイドされ、該ライトガイド部１４及び円弧状のライトガイド９〜１１が照明される。また、ハザードスイッチ３は、半球形状部１３の開口１３ｂからの照明ランプ光が、導入口３６及び開口３４ａから導入されて反射面３７で反射し、マーク表示３５を照明する。マーク表示３５は有色透光性であるから、該マーク表示３５に導かれた照明ランプ光を所定の色彩で視認することができる。同様に、デフロスタスイッチ４も、ライトガイド部１４の端部１４ａからの照明ランプ光がマーク表示４５に導かれて、所定の色彩で視認することができる。従って、ハザードスイッチ３及びデフロスタスイッチ４にそれぞれ照明ランプ１２を配設する必要がない。また、ライトガイドは、半球形状部１３から直線状のライトガイド部１４が突成されているから、該照明ランプ光を他のマーク表示等の照明光として利用できる。
【００１３】
上記説明により明らかなように、照明ランプ１２を取り囲む半球形状部１３と、該半球形状部１３から直線状のライトガイド部１４を突成してなるライトガイドを配置し、半球形状部１３の一部を切り欠いて照明ランプ光を直接ハザードスイッチ３に形成した導入口３６及び押圧操作ノブ３２の開口３４ａからスイッチ筺体３１内に導入する。そして、直線状のライトガイド部１４により照明ランプ光をデフロスタスイッチ４に導いて、導入口３６からスイッチ筺体３１内に導入し、導入口３６に配設した反射面により反射させて、押圧操作ノブ３２の裏面を照射し、各押圧操作ノブ３２の前面に導いて視認できるもので、半球形状部１３と該半球形状部１３から突成した直線状のライトガイド部１４を用いて、一個の照明ランプ光を複数のスイッチにおいて共用することができる。
【図面の簡単な説明】
【００１４】
【図１】スイッチ装置１の正面図である。
【図２】図１に於けるＡ−Ａ線断面図である。
【符号の説明】
【００１５】
１...スイッチ装置
２...コントロールパネル
３...ハザードスイッチ
４...デフロスタスイッチ
９〜１１...ライトガイド
１２...照明ランプ
１３...半球形状部
１３ｂ...開口
１４...直線状のライトガイド
１４ａ...端部
３１...スイッチ筺体
３２...押圧操作ノブ
３３…スイッチ構成部
３４...筒状部
３４ａ...開口
３５，４５...マーク表示
３６...導入口
３７...反射面
【図１】
0004234097.tif 000002
【図２】
0004234097.tif 000003